(57)【要約】【課題】ユーザが、被撮影者が良い表情である撮影画像を手軽にプリントして楽しむことができるようにする。【解決手段】本発明に係るデジタルカメラ１によれば、ＣＰＵ１１ａは、撮影された動画の各コマ画像の被撮影者の顔画像を抽出して、各顔画像毎に笑顔評価、端正評価を行い、各コマ画像について、その画像中の各被撮影者の総合笑顔評価値及び総合端正評価値を算出する。また、ＣＰＵ１１ａは、コマ画像のうちの一つを解析し、撮影した画像の場面を判断し、当該撮影がカジュアルな場面の撮影であると判断すると、優先評価値を笑顔評価値として設定し、フォーマルな場面の撮影であると判断すると、優先評価値を端正評価値として設定し、優先評価値の高い順に各コマ画像に順位を設定する。そして、順位に基づいて各コマ画像をモニタ２３に表示させる。【選択図】　図１
2004046591.tif 000002
【特許請求の範囲】
【請求項１】
入力された撮影画像中の被撮影者の表情を評価して採点する評価手段を備えたことを特徴とする画像評価装置。
【請求項２】
前記評価手段は、前記被撮影者の表情の笑顔の度合い、端正さの度合いのうち少なくとも一つを評価して採点することを特徴とする請求項１記載の画像評価装置。
【請求項３】
前記評価手段は、１枚の前記撮影画像に複数の被撮影者が写っている場合に、前記複数の被撮影者に対する前記評価を平均して、前記１枚の撮影画像における総合評価値を採点することを特徴とする請求項１又は２に記載の画像評価装置。
【請求項４】
前記評価手段は、前記総合評価値を採点する際に、特定の人物の評価に重み付けをして採点することを特徴とする請求項３に記載の画像評価装置。
【請求項５】
前記撮影画像を表示する表示手段を備え、
１枚の前記撮影画像内に複数の被撮影者が写っている場合に、前記評価手段により採点された評価を各被撮影者別に前記表示手段に表示させる制御手段を備えたことを特徴とする請求項１〜４の何れか一項に記載の画像評価装置。
【請求項６】
前記制御手段は、前記総合評価値を前記表示手段に表示させることを特徴とする請求項５に記載の画像評価装置。
【請求項７】
前記撮影画像を解析して、前記撮影画像の場面がカジュアルな場面であるか又はフォーマルな場面であるかを判断する撮影場面判断手段を備えたことを特徴とする請求項１〜６の何れか一項に記載の画像評価装置。
【請求項８】
前記撮影場面判断手段は、前記撮影画像が屋外で撮影されたものであるか又は室内で撮影されたものであるかを解析することにより、当該撮影画像の場面がカジュアルな場面であるか又はフォーマルな場面であるかを判断することを特徴とする請求項７に記載の画像評価装置。
【請求項９】
前記撮影場面判断手段は、前記撮影画像中の被撮影者の衣服に基づいて前記撮影画像の場面がカジュアルな場面であるか又はフォーマルな場面であるかを判断することを特徴とする請求項７又は８に記載の画像評価装置。
【請求項１０】
前記撮影場面判断手段は、前記撮影画像中の被撮影者の髪型に基づいて前記撮影画像の場面がカジュアルな場面であるか又はフォーマルな場面であるかを判断することを特徴とする請求項７〜９の何れか一項に記載の画像評価装置。
【請求項１１】
前記制御手段は、前記撮影場面判断手段により前記撮影画像の場面がカジュアルな場面であると判断された場合に、前記評価手段により採点された前記笑顔の度合いに対する評価を、前記端正さの度合いに対する評価より優先させて前記撮影画像上に表示させることを特徴とする請求項７〜１０の何れか一項に記載の画像評価装置。
【請求項１２】
前記制御手段は、前記撮影場面判断手段により前記撮影画像の場面がフォーマルな場面であると判断された場合に、前記評価手段により採点された前記端正さの度合いに対する評価を、前記笑顔の度合いに対する評価より優先させて前記撮影画像上に表示させることを特徴とする請求項１１に記載の画像評価装置。
【請求項１３】
前記評価手段は、複数の前記撮影画像における被撮影者の表情を夫々評価し、前記複数の撮影画像に対して、前記評価手段による評価の高い順に順位を設定する順位設定手段を備え、
前記制御手段は、前記順位設定手段により設定された順位に基づいて前記複数の撮影画像を前記表示手段に表示するように制御することを特徴とする請求項５〜１２の何れか一項に記載の画像評価装置。
【請求項１４】
前記複数の撮影画像は、動画の中の各コマを静止画像として切り出した撮影画像であることを特徴とする請求項１３に記載の画像評価装置。
【請求項１５】
前記順位設定手段により設定された順位を前記各撮影画像と対応付けて前記外部装置に出力する出力手段を備えたことを特徴とする請求項１３又は１４に記載の画像評価装置。
【請求項１６】
前記複数の撮影画像の夫々に複数の被撮影者が写っている場合に、前記複数の撮影画像内の各被撮影者の顔画像のうち、前記評価手段により最も高く評価された各被撮影者の顔画像を抽出し、１枚の静止画像として合成する顔画像合成手段を備えたことを特徴とする請求項１３〜１５の何れか一項に記載の画像評価装置。
【請求項１７】
前記順位設定手段は、前記顔画像合成手段により合成された静止画像を最も高い順位に設定することを特徴とする請求項１６に記載の画像評価装置。
【請求項１８】
前記順位設定手段により設定された順位で前記複数の静止画像から動画を作成する動画作成手段を備えたことを特徴とする請求項１４〜１７の何れか一項に記載の画像評価装置。
【請求項１９】
前記評価手段により採点された評価を前記撮影画像と対応付けて記憶する記憶手段を備えたことを特徴とする請求項１〜１８の何れか一項に記載の画像評価装置。
【発明の詳細な説明】
【０００１】
【発明の属する技術分野】
本発明は、撮影画像の評価を行う画像評価装置に関する。
【０００２】
【従来の技術】
従来、被撮影者の満足のいく写真を得るには、複数回撮影を行い、その中で最適と思われる写真を選択していた。しかしながら、集合写真においては、被撮影者のうち数人が満足する写真を選択することは可能であっても、被撮影者全員が満足する写真を選択するのは困難であった。
【０００３】
上述した問題を解決するものとして、特開２００１−４５３５５号公報においては、集合写真を連写撮影してタッチパネルに表示し、各被撮影者がタッチパネル上で撮影した画像を切り替えて好みの画像を選択、決定し、自分が写っている部分を指で触れると、指で触れた所の部分画像を抽出し、各被撮影者の部分画像を合成して写真画像を形成する撮影装置が開示されている。また、集合写真において、各被撮影者が撮影タイミングをリモコン操作し、各撮影画像を合成する技術や、各被撮影者がデジタルカメラにて撮影した画像を合成する技術が併せて開示されている。
【０００４】
【発明が解決しようとする課題】
上述した、被撮影者が自分の好みの画像を選択する技術は、自分が良い表情をしている写真を得るためには有効である。しかしながら、写真は、自分だけでなく一緒に写る人の表情も良い方が優れた写真であるが、上記開示された技術において、被撮影者全員が良い表情の撮影画像を取得するには、被撮影者全員が夫々良い表情の画像を選択しなければならず、多数の被撮影者がいる際には時間がかかり、煩雑であった。また、各被撮影者がそれぞれ撮影タイミングをリモコンにより操作したり、各被撮影者がそれぞれデジタルカメラで撮影したりした画像を合成することは、各被撮影者毎に対応するリモコン、デジタルカメラ等の装置が必要となり、気軽に撮影を楽しむには不向きであった。
【０００５】
また、昨今、銀塩カメラと並んでデジタルカメラが普及しており、デジタルカメラにおいては、メモリに撮影画像を記録しておけばよく、銀塩カメラのようにフィルムを消耗するということもないので、一つの撮影シーンに対して多くの枚数を撮影すれば、多くの人が良い表情のプリントを得るための選択肢も増える。しかしながら、多くの撮影画像の中から被撮影者全員が良い表情の画像を選択してプリントすることは、ユーザにとって煩雑な作業であり、撮影画像をプリントして楽しむことの制約となっていた。
【０００６】
本発明の課題は、ユーザが、被撮影者が良い表情である撮影画像を手軽にプリントして楽しむことができるようにすることである。
【０００７】
【課題を解決するための手段】
上記課題を解決するため、請求項１記載の発明は、
入力された撮影画像中の被撮影者の表情を評価して採点する評価手段を備えたことを特徴としている。
【０００８】
請求項１記載の発明によれば、撮影画像中の被撮影者の表情を評価して採点することができる。従って、被撮影者の表情の良し悪しを評価することができる。
【０００９】
請求項２記載の発明は、請求項１記載の発明において、
前記評価手段は、前記被撮影者の表情の笑顔の度合い、端正さの度合いのうち少なくとも一つを評価して採点することを特徴としている。
【００１０】
請求項２記載の発明によれば、撮影画像中の被撮影者の表情の笑顔の度合い、端正さの度合いのうち、少なくとも一つを評価して採点することができる。従って、被撮影者の表情が、撮影場面に応じた表情であるか否かを評価することができる。
【００１１】
請求項３記載の発明は、請求項１又は２に記載の発明において、
前記評価手段は、１枚の前記撮影画像に複数の被撮影者が写っている場合に、前記複数の被撮影者に対する前記評価を平均して、前記１枚の撮影画像における総合評価値を採点することを特徴としている。
【００１２】
請求項３記載の発明によれば、１枚の撮影画像中に複数の被撮影者が写っている場合に、複数の被撮影者に対して採点された評価を平均して、その撮影画像における総合評価値を採点することができる。従って、撮影画像についての評価を行うことができる。
【００１３】
請求項４記載の発明は、請求項３記載の発明において、
前記評価手段は、前記総合評価値を採点する際に、特定の人物の評価に重み付けをして採点することを特徴としている。
【００１４】
請求項４記載の発明によれば、１枚の撮影画像中の被撮影者の総合評価値を採点する際に、特定の人物の評価に重み付けをして採点することができる。従って、重視したい人物に対する評価を考慮して撮影画像についての評価を行うことができる。
【００１５】
請求項５記載の発明は、請求項１〜４の何れか一項に記載の発明において、
前記撮影画像を表示する表示手段を備え、
１枚の前記撮影画像内に複数の被撮影者が写っている場合に、前記評価手段により採点された評価を各被撮影者別に前記表示手段に表示させる制御手段を備えたことを特徴としている。
【００１６】
請求項５記載の発明によれば、１枚の撮影画像内に複数の被撮影者が写っている場合に、採点された評価を各被撮影者別に表示手段に表示させることができる。従って、被撮影者毎の評価をユーザが知ることができる。
【００１７】
請求項６記載の発明は、請求項５記載の発明において、
前記制御手段は、前記総合評価値を前記表示手段に表示させることを特徴としている。
【００１８】
請求項６記載の発明によれば、撮影画像の総合評価値を表示手段に表示させることができる。従って、撮影画像毎の総合評価値をユーザが知ることができる。
【００１９】
請求項７記載の発明は、請求項１〜６の何れか一項に記載の発明において、
前記撮影画像を解析して、前記撮影画像の場面がカジュアルな場面であるか又はフォーマルな場面であるかを判断する撮影場面判断手段を備えたことを特徴としている。
【００２０】
請求項８記載の発明は、請求項７記載の発明において、
前記撮影場面判断手段は、前記撮影画像が屋外で撮影されたものであるか又は室内で撮影されたものであるかを解析することにより、当該撮影画像の場面がカジュアルな場面であるか又はフォーマルな場面であるかを判断することを特徴としている。
【００２１】
請求項９記載の発明は、請求項７又は８に記載の発明において、
前記撮影場面判断手段は、前記撮影画像中の被撮影者の衣服に基づいて前記撮影画像の場面がカジュアルな場面であるか又はフォーマルな場面であるかを判断することを特徴としている。
【００２２】
請求項１０記載の発明は、請求項７〜９の何れか一項に記載の発明において、前記撮影場面判断手段は、前記撮影画像中の被撮影者の髪型に基づいて前記撮影画像の場面がカジュアルな場面であるか又はフォーマルな場面であるかを判断することを特徴としている。
【００２３】
請求項７〜１０に記載の発明によれば、撮影画像を解析して、撮影画像の場面がカジュアルな場面であるか又はフォーマルな場面であるかを判断することができる。
【００２４】
請求項１１記載の発明は、請求項７〜１０の何れか一項に記載の発明において、
前記制御手段は、前記撮影場面判断手段により前記撮影画像の場面がカジュアルな場面であると判断された場合に、前記評価手段により採点された前記笑顔の度合いに対する評価を、前記端正さの度合いに対する評価より優先させて前記撮影画像上に表示させることを特徴としている。
【００２５】
請求項１１に記載の発明によれば、撮影画像の場面がカジュアルな場面であると判断された場合に、採点された笑顔の度合いに対する評価を、端正さの度合いに対する評価より優先させて撮影画像上に表示させることができる。従って、撮影画像の場面に応じた評価を見やすく表示することができる。
【００２６】
請求項１２記載の発明は、請求項１１記載の発明において、
前記制御手段は、前記撮影場面判断手段により前記撮影画像の場面がフォーマルな場面であると判断された場合に、前記評価手段により採点された前記端正さの度合いに対する評価を、前記笑顔の度合いに対する評価より優先させて前記撮影画像上に表示させることを特徴としている。
【００２７】
請求項１２記載の発明によれば、撮影画像の場面がフォーマルな場面であると判断された場合に、採点された端正さの度合いに対する評価を、笑顔の度合いに対する評価より優先させて撮影画像上に表示させることができる。従って、撮影画像の場面に応じた評価を見やすく表示することができる。
【００２８】
請求項１３記載の発明は、請求項５〜１２の何れか一項に記載の発明において、
前記評価手段は、複数の前記撮影画像における被撮影者の表情を夫々評価し、前記複数の撮影画像に対して、前記評価手段による評価の高い順に順位を設定する順位設定手段を備え、
前記制御手段は、前記順位設定手段により設定された順位に基づいて前記複数の撮影画像を前記表示手段に表示するように制御することを特徴としている。
【００２９】
請求項１３記載の発明によれば、複数の撮影画像における被撮影者の表情を夫々評価し、複数の撮影画像に対して、評価の高い順に順位を設定し、その順位に基づいて複数の撮影画像を表示手段に表示することができる。従って、複数の撮影画像を、被写体の表情の良い順に表示することができるので、ユーザがプリントする撮影画像を選択することが容易になる。
【００３０】
請求項１４記載の発明は、請求項１３に記載の発明において、
前記複数の撮影画像は、動画の中の各コマを静止画像として切り出した撮影画像であることを特徴としている。
【００３１】
請求項１４記載の発明によれば、動画の中の各コマを静止画像として切り出した各静止画像に対して、評価の高い順に順位を設定して、その順位に基づいて複数の撮影画像を表示することができる。従って、動画の中の各コマ画像を、被撮影者の表情の良い順に表示することができるので、ユーザがプリントする撮影画像を選択することが容易になる。
【００３２】
請求項１５記載の発明は、請求項１３又は１４に記載の発明において、
前記順位設定手段により設定された順位を前記各撮影画像と対応付けて前記外部装置に出力する出力手段を備えたことを特徴としている。
【００３３】
請求項１５記載の発明によれば、設定された撮影画像の順位を各撮影画像と対応付けて前記外部装置に出力することができる。従って、被写体の表情の良い順に外部の装置に出力して表示したり印刷したりすることができる。
【００３４】
請求項１６記載の発明は、請求項１３〜１５の何れか一項に記載の発明において、
前記複数の撮影画像の夫々に複数の被撮影者が写っている場合に、前記複数の撮影画像内の各被撮影者の顔画像のうち、前記評価手段により最も高く評価された各被撮影者の顔画像を抽出し、１枚の静止画像として合成する顔画像合成手段を備えたことを特徴としている。
【００３５】
請求項１６記載の発明によれば、複数の撮影画像の夫々に複数の被撮影者が写っている場合に、複数の撮影画像内の各被撮影者の顔画像のうち、最も高く評価された各被撮影者の顔画像を抽出し、１枚の静止画像として合成することができる。従って、被撮影者全ての表情の良い撮影画像を取得することができる。
【００３６】
請求項１７記載の発明は、請求項１６に記載の発明において、
前記順位設定手段は、前記顔画像合成手段により合成された静止画像を最も高い順位に設定することを特徴としている。
【００３７】
請求項１７記載の発明によれば、複数の撮影画像内の各被撮影者の顔画像のうち、最も高く評価された各被撮影者の顔画像を抽出し、１枚の静止画像として合成された静止画像を最も高い順位に設定することができる。従って、プリントする画像を選択する際に、ユーザが、被撮影者全ての表情の良い撮影画像を簡単に選択することができるようになる。
【００３８】
請求項１８記載の発明は、請求項１４〜１７の何れか一項に記載の発明において、
前記順位設定手段により設定された順位で前記複数の静止画像から動画を作成する動画作成手段を備えたことを特徴としている。
【００３９】
請求項１８記載の発明によれば、設定された順位で前記複数の静止画像から動画を作成することができる。従って、動画から静止画像を切り出して評価した場合でも、評価の高い順番で画像を入れ替えた動画を作成して記録することにより、元の動画からあまりファイルサイズを大きくすることなしに、発明を実施することができる。
【００４０】
請求項１９記載の発明は、請求項１〜１８の何れか一項に記載の発明において、
前記評価手段により採点された評価を前記撮影画像と対応付けて記憶する記憶手段を備えたことを特徴としている。
【００４１】
請求項１９記載の発明によれば、採点された評価を撮影画像と対応付けて記憶することができる。従って、撮影画像に対する評価が保存されるので、いつでも、複数の撮影画像を表情の良い順に並べて表示したり、外部装置に出力したりといったことが容易にできるようになる。
【００４２】
【発明の実施の形態】
〔第１の実施の形態〕
以下、図を参照して、本発明をデジタルカメラに適用した第１の実施の形態について詳細に説明する。
図１は、本実施の形態におけるデジタルカメラ１の機能的構成を示すブロック図である。図１に示すように、デジタルカメラ１は、ＣＰＵ１１ａ、ＲＯＭ１１ｂ及びＲＡＭ１１ｃを有する制御部１１、光学系制御部１２、撮像光学系１３、撮像素子１４、画像信号生成回路１５、ＴＧ１６、ＣＣＤドライバ１７、画像信号処理部１８、ＡＥ・ＡＦ処理回路１９、内蔵メモリ２０、記録メディア２１、モニタ駆動回路２２、モニタ２３、閃光部２４、操作部２５、ＥＥＰＲＯＭ２６、電池２７等により構成されている。
【００４３】
ＣＰＵ（Ｃｅｎｔｒａｌ　Ｐｒｏｃｅｓｓｉｎｇ　Ｕｎｉｔ）１１ａは、ＲＯＭ１１ｂに予め記憶されている制御するためのプログラムを読み出して、ＲＡＭ１１ｃに展開し、展開したプログラムに従ってデジタルカメラ１全体の制御を行う。また、ＣＰＵ１１ａは、展開したプログラムに従って、後述する撮影画像評価処理を始めとする各種処理を実行する。ＣＰＵ１１ａは、本発明の請求項に記載の評価手段、制御手段、撮影場面判断手段、順位設定手段、顔画像合成手段及び動画作成手段としての機能を有する。
【００４４】
ＲＯＭ（Ｒｅａｄ　Ｏｎｌｙ　Ｍｅｍｏｒｙ）１１ｂは、半導体等の不揮発性メモリで構成されている。ＲＯＭ１１ｂは、デジタルカメラ１に対応する制御プログラム、処理プログラム等の各種プログラムや、各種プログラムで参照されるデータ等を予め記憶する。
【００４５】
ＲＡＭ（Ｒａｎｄｏｍ　Ａｃｃｅｓｓ　Ｍｅｍｏｒｙ）１１ｃは、ＣＰＵ１１ａにより実行される各種処理において、ＲＯＭ１１ｂから読み出されたプログラム及び各種データを一時的に記憶する。
【００４６】
光学系制御部１２は、ズーム制御機構、フォーカス制御機構、シャッタ制御機構、及び絞り制御機構等により構成され、ズーム位置検出信号やフォーカス位置検出信号、及びＡＥ・ＡＦ処理回路１９の出力信号等のフィードバックを受けながら制御部１１からの制御信号により撮像光学系１３を制御する。
【００４７】
撮像光学系１３は、フォーカシングレンズ、ズームレンズ、シャッタ及び絞り等により構成され、光学系制御部１２の制御により適切な露光及び合焦状態のフレーミング被写体情報を撮像素子１４上に結像する。
【００４８】
撮像素子１４は、ＣＣＤ（Ｃｈａｒｇｅ　Ｃｏｕｐｌｅｄ　Ｄｅｖｉｃｅ）等により構成され、撮像光学系１３を透過して結像された被写体光を光電変換する。
画像信号生成回路１５は、撮像素子１４により光電変換された信号を受け、ＡＧＣ、クランプ処理等を施して、画像信号処理部１８に出力する。
【００４９】
ＴＧ（Ｔｉｍｉｎｇ　Ｇｅｎｅｒａｔｏｒ）１６は、所定のタイミング信号を発生させ、画像信号生成回路１５及びＣＣＤドライバ１７へ出力し、これらの駆動制御を行う。ＣＣＤドライバ１７は、前記タイミング信号を受け、同期させて撮像素子１４の駆動制御を行う。
【００５０】
画像信号処理部１８は、画像信号生成回路１５から入力されたアナログ画像信号をＡ／Ｄ変換し、ＡＥ・ＡＦ処理回路１９へ出力する。また、画像信号処理部１８は、Ａ／Ｄ変換したデジタル画像データに対して、ホワイトバランス、γ補正等の処理を行って、当該処理後の画像データを内蔵メモリ２０に一時的に格納する。また、内蔵メモリ２０に一時的に格納された画像データを読み出して、記録メディア２１に記録するのに適したデータ形式にするために圧縮処理を施す。また、内蔵メモリ２０に一時的に格納された画像データや、記録メディア２１に記録されている画像データに対して、モニタ２３に再生表示するために伸長処理を施したり、再生出力に適する形態の画像信号に変換したりする。
【００５１】
ＡＥ・ＡＦ処理回路１９は、画像信号処理部１８から出力されるデジタル画像データに基づいて、撮影光学系１３内のレンズの焦点を撮影対象に対して自動的に合わせる自動焦点調節（ＡＦ）処理と、撮影対象の明るさに応じて撮像素子１４の露光を自動的に調節する自動露光調節（ＡＥ：Ａｕｔｏ　Ｅｘｐｏｓｕｒｅ）処理を実行する。
【００５２】
ＡＦ処理では、１画面分、若しくは画面内の所定部分についての画像データの高周波成分を、ハイパスフィルタにより抽出し、累積加算等の演算処理によりＡＦ評価値を算出し、ＣＰＵ１１ａに出力する。
ＡＥ処理では、１画面分の画像データの測光輝度値に対して、累積加算等の演算処理を行い、撮影に必要な露光量（露出値）等のＡＥ条件を算出し、ＣＰＵ１１ａに出力する。
【００５３】
内蔵メモリ２０は、画像信号処理部１８から出力されたデジタル画像データを一時的に格納するバッファメモリ等からなるメモリと、画像信号処理部１８により圧縮処理された画像データを記録する不揮発性の半導体メモリとを有して構成されている。
【００５４】
記録メディア２１は、図示しない装着部に着脱可能であり、フラッシュメモリ（Ｆｌａｓｈ　Ｍｅｍｏｒｙ）等の不揮発性の半導体メモリで構成されており、画像信号処理部１８により圧縮処理された画像データを記録する。記録メディア２１は、本発明の請求項に記載の記憶手段としての機能を有し、外部装置に装着されることにより、出力手段としての機能を有する。
【００５５】
モニタ駆動回路２２は、モニタ２３を駆動して、画像信号処理部１８により出力されたデジタル画像データを表示させる。モニタ２３は、ＬＣＤ（Ｌｉｑｕｉｄ　Ｃｒｙｓｔａｌ　Ｄｉｓｐｌａｙ）等により構成されている。モニタ２３は、本発明の請求項に記載の表示手段としての機能を有する。
【００５６】
閃光部２４は、ストロボ回路及び発光部等により構成され、被写体輝度が低い時に被写体に対して補助光を照射する。
【００５７】
操作部２５は、電源スイッチ、レリーズスイッチ、再生スイッチ、各種モード変換スイッチ、ズームレバー、左右矢印キー、決定キー等により構成され、ユーザによる操作信号をＣＰＵ１１ａに出力する。
【００５８】
ＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）２６は、不揮発性メモリにより構成され、各種動作に使用する調整データ等が予め記憶されている。
【００５９】
本実施の形態において、ＥＥＰＲＯＭ２６は、笑顔評価基準テーブル２６１及び端正評価基準テーブル２６２を格納している。
図２（ａ）は、笑顔評価基準テーブル２６１内部のデータ格納例を示す図である。図２（ａ）に示すように、笑顔評価基準テーブル２６１は、要素領域２６１ａと、係数領域２６１ｂと、評価ポイント領域２６１ｃと、により構成されている。要素領域２６１ａは、顔の構成要素を表すデータ（例えば、“まゆ”、“目”、“唇”）を「要素」として格納する。係数領域２６１ａは、対応する顔の構成要素の係数を表すデータ（例えば、“２”、“５”、“４”）を「係数」として格納する。評価ポイント領域２６１ｃは、対応する顔の構成要素の基準画像及びその評価ポイントを格納する。例えば、まゆについては、その角度により、上がっている基準画像は低い評価ポイントに対応付けられており、角度が下がるに従い、高い評価ポイントとなるように基準画像が評価ポイントと対応付けて格納されている。目については、瞳孔の開き具合により、瞳孔が閉じている基準画像は低い評価ポイントに対応付けられており、瞳孔が開くに従い、高い評価ポイントとなるように基準画像が評価ポイントと対応付けて格納されている。目が閉じた状態については、マイナスポイントとなるように基準画像が評価ポイントと対応付けて格納されている。唇については、両端の角度が下がっている基準画像は低いポイントに対応付けられており、両端の角度が上がるに従い、高い評価ポイントとなるように基準画像が評価ポイントと対応付けて格納されている。
【００６０】
図２（ｂ）は、端正評価基準テーブル２６２内部のデータ格納例を示す図である。図２（ｂ）に示すように、端正評価基準テーブル２６２は、要素領域２６２ａと、係数領域２６２ｂと、評価ポイント領域２６２ｃと、により構成されている。要素領域２６２ａは、顔の構成要素を表すデータ（例えば、“顔１”、“顔２”、“まゆ”、・・・）を「要素」として格納する。係数領域２６２ｂは、対応する顔の構成要素の係数を表すデータ（例えば、“１”、“２”、“２”、・・・）を「係数」として格納する。評価ポイント領域２６２ｃは、対応する顔の構成要素の基準画像及びその評価ポイントを格納する。例えば、顔の向きについては、真正面を向いているものを高い評価ポイントとし、顔が左右に向いているもの、首をかしげているものは、その度合いが大きいほど低い評価ポイントとなるように基準画像が評価ポイントと対応付けられて格納されている。まゆは、平坦な基準画像は高い評価ポイント、角度が上がっていたり下がっていたりする基準画像は、その度合いが大きいほど低い評価ポイントとなるように、基準画像が評価ポイントと対応付けて格納されている。目は、瞳孔が開いている基準画像は高い評価ポイント、瞳孔が閉じている基準画像、目が閉じている基準画像は低い評価ポイントとなるように基準画像が評価ポイントと対応付けて格納されている。唇は、両端の角度が上がったり下がったりした画像ほど低い評価ポイントとなるように基準画像が評価ポイントと対応付けて格納されている。
【００６１】
図１の電池２７は、リチウム・イオン二次電池やアルカリ・マンガン電池等により構成され、デジタルカメラ１に電力を供給する。
【００６２】
次に、動作について説明する。
まず、ＣＰＵ１１ａにより実行される撮影画像評価処理について図３のフローチャートを参照して説明する。
【００６３】
ＣＰＵ１１ａは、レリーズスイッチが押下されるのを待機し（ステップＳ１）、レリーズスイッチが押下されると（ステップＳ１；ＹＥＳ）、評価モードか否かを判断し（ステップＳ２）、評価モードでないと判断すると（ステップＳ２；ＮＯ）、通常の撮影処理を実行する（ステップＳ３）。即ち、ＣＰＵ１１ａは、測光及び測距を行い、測定した数値に基づいてＡＥ・ＡＦ処理回路１９により露出値、ＡＦ評価値を算出し、これらに基づいて被写体の撮影を行い、取得した画像に画像処理を施してモニタ２３に表示させる。
【００６４】
一方、ＣＰＵ１１ａは、ステップＳ２において、評価モードであると判断すると（ステップＳ２；ＹＥＳ）、動画撮影を行って画像を内蔵メモリ２０に録画し（ステップＳ４）、所定時間が経過すると（ステップＳ５；ＹＥＳ）、動画撮影を終了してステップＳ６へ移行する。動画撮影においては、ＣＰＵ１１ａは、例えば、１５コマ／秒を所定時間、例えば３秒間録画し、録画した動画のコマ画像１０１〜コマ画像１４５を夫々静止画像として切り出す。
【００６５】
なお、動画で撮影を行うのではなく、連写撮影を行って複数の静止画像を取得するようにしてもよい。
【００６６】
動画撮影が終了すると、ＣＰＵ１１ａは、モニタ２３に撮影した動画を表示させる（ステップＳ６）。動画の表示後、操作部２５の入力操作により、人物の重み付け評価（後述する笑顔評価値及び端正評価値を算出するにあたり、他の人物に対して重み付けをしてコマ画像の総合評価値を算出する）の指示が入力されると（ステップＳ７；ＹＥＳ）、ＣＰＵ１１ａは、モニタ２３に重み付け設定画面を表示させ、操作部２５により指定された人物に対して、指定された順番及びその位置情報を取得し、指定された順番で重み付けして評価するものとして設定する（ステップＳ８）。
【００６７】
次いで、ＣＰＵ１１ａは、操作部２５により評価の開始が指示されるのを待機し、評価の開始が指示されると（ステップＳ９；ＹＥＳ）、ステップＳ４で撮影したコマ画像１０１〜１４５のそれぞれにおいて、各被撮影者（人物）の顔画像を抽出して、その位置情報を取得するとともに、各顔画像毎に笑顔評価（表情の笑顔の度合いの評価）、端正評価（表情の端正さの度合いの評価）を行う（ステップＳ１０）。笑顔評価としては、ＥＥＰＲＯＭ２６に記憶されている笑顔評価基準テーブル２６１を参照して、顔画像のまゆ、瞳孔、唇の各要素の形状の評価ポイントを算出し、各評価ポイントを係数により重み付けしたものを合算してそのコマ画像のその顔画像における笑顔評価値とする。まゆ、目については、左右双方について評価ポイントを算出して１／２としてもよいし、片方について評価を行うようにしてもよい。端正評価としては、ＥＥＰＲＯＭ２６に記憶されている端正評価基準テーブル２６２を参照して、顔の向き及びまゆ、瞳孔、唇の各要素の形状の評価ポイントを算出し、各評価ポイントを係数により重み付けしたものを合算してその顔画像における端正評価値とする。まゆ、目については、左右双方について評価ポイントを算出して１／２としてもよいし、片方について評価を行うようにしてもよい。
【００６８】
次に、ＣＰＵ１１ａは、コマ画像１０１〜１４５のそれぞれについて、ステップＳ１０で顔画像毎に算出した笑顔評価値の平均値及び端正評価値の平均値を算出して、各コマ画像１０１〜１４５の総合笑顔評価値及び総合端正評価値とする（ステップＳ１１）。ここで、ＣＰＵ１１ａは、ステップＳ８にて人物の重み付け評価が設定されている場合には、各コマ画像１０１〜１４５の総合笑顔評価値及び総合端正評価値の算出は、所定のアルゴリズムにより、指定された位置情報の位置又はその近辺の位置にある顔画像の笑顔評価値及び端正評価値を、指定された順番に基づいて重み付けして総合笑顔評価値及び総合端正評価値を算出する。
【００６９】
次に、ＣＰＵ１１ａは、コマ画像のうちの一つ、例えばコマ画像１０１を解析し、撮影した画像がカジュアルな場面か、フォーマルな画面かを判断する（ステップＳ１２）。具体的には、ＣＰＵ１１ａは、室内での撮影か屋外での撮影か、衣服が礼服か否か、または髪型がラフか否か等によりフォーマルな場面かカジュアルな場面かを判断する。当該撮影がカジュアルな場面の撮影であると判断すると（ステップＳ１２；１）、ＣＰＵ１１ａは、優先評価値を笑顔評価値として設定する（ステップＳ１３）。一方、ステップＳ１２において、当該撮影がフォーマルな場面の撮影であると判断すると（ステップＳ１２；２）、ＣＰＵ１１ａは、優先評価値をフォーマル評価値として設定する（ステップＳ１４）。
【００７０】
次に、ＣＰＵ１１ａは、各人物の顔画像毎に、コマ画像１０１〜１４５のうち最も優先評価値の高いコマ画像の顔画像を抽出し（ステップＳ１５）、抽出した各顔画像を集めて、１コマの合成画像１４６に合成する（ステップＳ１６）。
【００７１】
次に、ＣＰＵ１１ａは、ステップＳ１６で作成した合成画像１４６を最高位として、各コマ画像１０１〜１４６にを優先評価値の高いものから順位を設定する（ステップＳ１７）。そして、ＣＰＵ１１ａは、各コマ画像１０１〜１４６に対応する総合笑顔評価値、総合端正評価値を始めとする評価値情報を順位に従って並べてテキストファイルとして格納する評価値ファイル２１１を作成する（ステップＳ１８）。また、各コマ画像１０１〜１４６を前記順位に従って並べて１つの動画ファイルを作成して、評価ファイル２１１を関連付けて記録メディア２１に保存（記憶）させる（ステップＳ１９）。そして、ＣＰＵ１１ａは、最高位のコマ画像をモニタ２３に表示させる（ステップＳ２０）。
【００７２】
図４は、図３のステップＳ１８で作成される評価値ファイル２１１のデータ格納例を示す図である。図４に示すように、評価値ファイル２１１は、ＮＯ領域２１１ａと、ＮＡＭＥ領域２１１ｂと、ＳＭＩＬＥ領域２１１ｃと、ＦＯＲＭＡＬ領域２１１ｄと、ＰＥＲＳＯＮ領域２１１ｅと、ＰＥＲＳＯＮ＿ＮＯ領域２１１ｆと、ＡＲＥＡ領域２１１ｇと、ＳＭＩＬＥＰ領域２１１ｈと、ＦＯＲＭＡＬＰ領域２１１ｉと、により構成されている。
【００７３】
ＮＯ領域２１１ａは、ステップＳ１３又は１４で設定された優先評価値の順位を表すデータ（例えば、“１”、“２”、・・・）を「ＮＯ」として格納する。ＮＡＭＥ領域２１１ｂは、コマ画像の名前を示すデータ（例えば、“ＤＳＣ００００１．ｘｘｘ”、“ＤＳＣ００００２．ｘｘｘ”、・・・）を「ＮＡＭＥ」として格納する。ＳＭＩＬＥ領域２１１ｃは、当該コマ画像の総合笑顔評価値を表すデータ（例えば、“３５”、“２５”、・・・）を「ＳＭＩＬＥ」として格納する。ＦＯＲＭＡＬ領域２１１ｄは、当該コマ画像の総合端正評価値を表すデータ（例えば、“３２”、“３８”、・・・）を「ＦＯＲＭＡＬ」として格納する。ＰＥＲＳＯＮ領域２１１ｅは、当該コマ画像に撮影された被撮影者（人物）の人数を表すデータ（例えば、“３”、“３”・・・）を「ＰＥＲＳＯＮ」として格納する。
【００７４】
ＰＥＲＳＯＮ＿ＮＯ領域２１１ｆは、当該コマ画像に撮影された被撮影者（人物）を特定するために一意的に割り当てられたコード（例えば、“００１”、“００２”、“００３”、・・・）を「ＰＥＲＳＯＮ＿ＮＯ」として格納する。ＡＲＥＡ領域２１１ｇは、当該コマ画像中で対応するコードが割り当てられた被撮影者の顔画像の位置情報を示すデータ（例えば、“（５０，１５０）−（２００，３００）”、“（１００，２００）−（６００，７００）”、“（２５６，３８９）−（７６９，８６４）”、・・・）を「ＡＲＥＡ」として格納する。ＳＭＩＬＥＰ領域２１１ｈは、対応するＰＥＲＳＯＮ＿ＮＯが割り当てられた被撮影者の笑顔評価値を示すデータ（例えば、“４０”、“３０”、“３５”、・・・）を「ＳＭＩＬＥＰ」として格納する。ＦＯＲＭＡＬＰ領域２１１ｉは、対応するＰＥＲＳＯＮ＿ＮＯが割り当てられた被撮影者の端正評価値を示すデータ（例えば、“３２”、“２９”、“３５”、・・・）を「ＦＯＲＭＡＬＰ」として格納する。
【００７５】
図５は、図３のステップＳ１９において、記録メディア２１に記憶される動画ファイルのデータ構造の一例を示す図である。図５に示すように、動画ファイルには、当該動画ファイルに対するコメントが格納されているコメント領域、各コマ画像データが格納されているコマ画像データ領域、当該動画に対応した評価値ファイルを格納する評価値ファイル領域により構成されている。各コマ画像データは、ヘッダ領域と画像情報領域を有しており、ヘッダ領域には、各コマ画像データに関する付属情報が格納されている。ＭＰＥＧのような動画形式では、情報量を圧縮するため、静止画像と静止画像の間の差分を抽出して符号化して記録し、再生時はその符号を用いて静止画像間を補完しているが、上述した撮影画像評価処理における各コマ画像に対する評価は、静止画像として最も情報量のある「Ｉピクチャ（Ｉｎｔｒａ−ｃｏｄｅｄ　Ｐｉｃｔｕｒｅ）」で行うことが望ましい。なお、動画ファイルのデータ構造はこれに限定されず、例えば評価値ファイル内の情報を、コメント領域に格納するようにしてもよい。
【００７６】
上述した評価値ファイル２１１は、動画撮影したコマ画像毎に優先評価値の順位、総合笑顔評価値、総合端正評価値、被撮影者の人数を対応付けて記憶し、また、そのコマ画像に撮影された人物毎の顔の位置情報、笑顔評価値、端正評価値が併せて記憶されている。そして、図５に示すように、評価値ファイル２１１は、コマ画像データと対応付けて記録メディア２１に記憶される。従って、例えば、この記録メディア２１を外部の出力装置に装着することにより、外部の出力装置にて、優先評価値の順位で印刷することができる。
【００７７】
なお、動画から切り出した静止画像のうち、評価の高い静止画像の１つ以上を、独立した静止画像として新たに記録メディア２１に記録してもよいが、静止画像は情報量が大きいため、記録メディア２１の空きが少なくなってしまう。そこで、切り出した静止画像は評価後に破棄し、動画ファイルを再度作成して、評価値ファイルを関連付けて記憶する、あるいは評価値ファイルをコメント領域に書き込むなどの方式で撮影画像を記憶すれば、情報量の増加はわずかであるため、静止画像の追加記録はしないことが望ましい。動画から切り出した静止画像の中の評価の高い各被撮影者の顔画像を抽出して１枚の静止画像に合成した静止画像を独立した静止画像として記録してもよい。この場合も、合成した静止画像を第１コマとした動画ファイルを作成し、記録することができる。新たな動画ファイルは元の動画ファイルよりファイルサイズは大きくなるが、ファイルの数は増えないため、ユーザにとって管理しやすいものとなる。
【００７８】
図６は、図３のステップＳ２０においてモニタ２３に表示される、撮影画像表示画面２３１の一例を示す図である。図６（ａ）は、図３のステップＳ１２でカジュアルな場面と判断された場合に表示される撮影画像表示画面２３１の一例を示す図である。図６（ａ）に示すように、撮影画像表示画面２３１には、コマ画像とともに、当該コマ画像の総合笑顔評価値及び総合端正評価値が、総合笑顔評価値を上にして表示されている。コマ画像と共に、優先評価値である総合笑顔評価値のみを表示するようにしてもよい。操作部２５からの操作により、各被撮影者の評価値の表示が指示されると、図６（ｂ）に示すように、各被撮影者の笑顔評価値及び端正評価値が表示される。各被撮影者の笑顔評価値のみを表示するようにしてもよい。
【００７９】
図６（ｃ）は、図３のステップＳ１２でフォーマルな場面と判断された場合に表示される撮影画像表示画面２３１の一例を示す図である。図６（ｃ）に示すように、撮影画像表示画面２３１には、コマ画像とともに、当該コマ画像の総合笑顔評価値及び総合端正評価値が、総合端正評価値を上にして表示されている。コマ画像と共に、優先評価値である総合端正評価値のみを表示するようにしてもよい。操作部２５からの操作により、各被撮影者の評価値の表示が指示されると、図６（ｄ）に示すように、各被撮影者の笑顔評価値及び端正評価値が表示される。各被撮影者の端正評価値のみを表示するようにしてもよい。
【００８０】
図６（ｅ）は、図３のステップＳ８で新婦、新郎の画像に重み付け設定を行い、各被撮影者の評価値の表示が指示された際に表示される撮影画像表示画面２３１の一例を示す図である。図６（ｅ）においては、新郎、新婦以外の被撮影者の端正評価値は低いが（２０点〜４０点）、新郎及び新婦の端正評価値は高いので（７０点、８０点）、総合端正評価値は７４点と高くなる。逆に、図６（ｆ）に示すように、新郎、新婦以外の被撮影者の端正評価値は高いが（８０点〜９０点）、新郎及び新婦の端正評価値は高いので（４０点、３０点）、総合端正評価値は５０点と低くなる。
【００８１】
最高位の画像を撮影画像表示画面２３１に表示後、操作部２５の右矢印キーが操作され、画像送りが指示されると、ＣＰＵ１１ａは、撮影画像表示画面２３１に、次に優先評価値の高いコマ画像を表示させる。右矢印キーが押下されるに従い、ＣＰＵ１１ａは、撮影画像表示画面２３１に、優先評価値の高い画像からコマ画像の低い画像へ切り替えて表示させる。また、左矢印キーが押下されるに従い、ＣＰＵ１１ａは、撮影画像表示画面２３１に、優先評価値の低い画像からコマ画像の高い画像へ切り替えて表示させる。
【００８２】
撮影画像表示画面２３１が表示された状態で、操作部２５の操作によりプリント枚数の設定が指示され、プリント枚数が入力されると、ＣＰＵ１１ａは、記録メディア２１の表示されているコマ画像データのヘッダ領域に、プリント枚数を記録させる。これにより、撮影したその場でプリントする画像の決定及び枚数の指定を行うことができる。外部の出力装置においては、画像情報及びプリント枚数が記録された記録メディア２１が装着されると、指定した画像を指定した枚数でプリントする。撮影画像表示画面２３１は、優先評価値の高い順に表示されるので、撮影画像の被撮影者の全員が良い表情の写真が最初に表示されることとなり、プリントする画像の選択が容易になる。
【００８３】
以上説明した様に、デジタルカメラ１によれば、ＣＰＵ１１ａは、レリーズスイッチが押下されると評価モードか否かを判断し、評価モードであると判断すると、動画撮影を行って画像を内蔵メモリ２０に録画し、撮影された動画のコマ画像１０１〜１４５のそれぞれにおいて、各被撮影者（人物）の顔画像を抽出して、その位置情報を取得するとともに、各顔画像毎に笑顔評価、端正評価を行い、コマ画像１０１〜１４５のそれぞれについて、その画像に撮影された被撮影者の顔画像の総合笑顔評価値及び総合端正評価値を算出する。
【００８４】
次いで、ＣＰＵ１１ａは、コマ画像のうちの一つ、例えばコマ画像１０１を解析し、撮影した画像の場面を判断し、当該撮影がカジュアルな場面の撮影であると判断すると、優先評価値を笑顔評価値として設定し、フォーマルな場面の撮影であると判断すると、優先評価値を端正評価値として設定し、各人物の顔画像毎に、コマ画像１０１〜１４５のうち最も優先評価値の高いコマ画像の顔画像を抽出し、抽出した各顔画像を集めて１コマの合成画像１４６に合成し、合成画像１４６を最高位として、各コマ画像１０１〜１４６にを優先評価値の高いものから順位を設定する。
【００８５】
そして、ＣＰＵ１１ａは、各コマ画像１０１〜１４６に対応する総合笑顔評価値、総合端正評価値を始めとする評価値情報を、優先評価値の順位に従って並べてテキストファイルとして格納する評価値ファイル２１１を作成し、評価ファイル２１１とコマ画像データを関連付けて１つの動画ファイルとして記録メディア２１に保存し、最高位のコマ画像を総合笑顔評価値及び総合端正評価値とともにモニタ２３に表示させる。操作部２５の矢印キーの操作により次のコマ画像への切り替えが指示されると、ＣＰＵ１１ａは、次に優先評価値の高いコマ画像に切り替えて表示させる。
【００８６】
従って、各被撮影者（人物）の表情を場面に応じて評価して、評価の高い順に撮影画像を表示するので、ユーザは、被撮影者が良い表情の画像を選択するという時間のかかる煩雑な作業を容易に行うことができるようになり、撮影画像を手軽にプリントして楽しむことができるようになる。
【００８７】
なお、上記実施の形態における記述内容は、本発明に係るデジタルカメラ１の好適な一例であり、これに限定されるのもではない。
例えば、上記実施の形態においては、被撮影者の笑顔評価値及び端正評価値両方を算出し、場面に応じた優先評価値により画像に順位をつけることとしているが、処理の始めに場面を判断して、場面に応じた評価値のみを自動的に算出するようにしてもよい。これにより、処理を短縮することができる。ユーザにより、笑顔評価値または端正評価値のいずれかをユーザが選択できるようにし、選択された評価値のみを算出して順位をつけるようにしてもよい。
【００８８】
また、笑顔評価値及び端正評価値を算出するための各要素の係数（重み付け）は、ユーザにより設定できるようにしてもよい。また、ある特定の被撮影者のみの優先評価値により画像の順位をつけるようにしてもよい。これにより、ユーザが評価の基準を自由にカスタマイズできるようになる。
【００８９】
また、評価に重み付けする人物の指定は、ユーザにより画面上で行うこととしているが、例えば、重み付けする人物の画像を予めデジタルカメラ１に入力しておき、デジタルカメラ１で撮影画像中において、入力された画像と同じ（似ている）顔の画像を判断して、その人物に重み付けを行うようにしてもよい。重み付けを行うように設定された人物は、撮影時にモニタ２３のファインディング画面上で参照できるようにすることが望ましい。図７（ａ）は、ファインディング画面２３２の一例を示す図である。図７（ａ）の２３２ａに示すように、ファインディング画面２３２において、重み付けする人物として予め入力された人物の画像をｐｉｃｔｕｒｅ　ｉｎ　ｐｉｃｔｕｒｅの形で表示し、操作部２５の操作により、この表示を表示させたり、解除させたりできるようにすることが望ましい。また、図７（ａ）の２３２ｂに示すように、ファインディング画面２３２において、入力された画像に最も似ている人物を丸で囲む等の方法で強調表示することが望ましい。
【００９０】
また、例えば、結婚式場の撮影は、必ず中央に新郎、新婦という重み付けを設定したい人物が配置される。このように、重み付けを設定する人物の配置エリアが或る程度特定できる場合は、撮影前に予め重み付けを高くするエリア（高配点エリア）とその比率を設定しておくようにしてもよい。セットしたエリアは、撮影時にモニタ２３のファインディング画面上に重ねて表示するようにする等、撮影時に参照できることが望ましい。図７（ｂ）は、ファインディング画面２３３の一例を示す図である。図７（ｂ）に示すファインディング画面２３３の領域２３３ａは、高配点エリアであり、新郎、新婦がこの領域内に配置されているので、図３のＳ１１で重み付けして評価される。このように、重み付けして評価したい人物が高配点エリアに配置されているか否かをファインディング画面２３３で確認することができるので、重み付けをしたい人物を確実に高配点エリア内におくように撮影することができ、正確な評価が可能となる。また、高配点エリアの形状や、重み付けの比率は、撮影後に変更して再評価することができるものとする。
【００９１】
その他、デジタルカメラ１の細部構成及び細部動作に関しても、本発明の趣旨を逸脱することのない範囲で適宜変更可能である。
【００９２】
〔第２の実施の形態〕
以下、図を参照して、本発明を画像選択装置に適用した、第２の実施の形態について説明する。
まず、構成を説明する。
図８は、本実施の形態の全体構成を概念的に示す図である。図８に示すように、画像選択装置３は、ＵＳＢ（Ｕｎｉｖｅｒｓａｌ　Ｓｅｒｉａｌ　Ｂｕｓ）等のデータ通信ケーブル２を介してプリンタ４に接続されている。画像選択装置３は、モニタ３３ａ、枚数表示部３３ｂ、左矢印キー３４ａ、決定キー３４ｂ、右矢印キー３４ｃ、テンキー３４ｄ、メモリカードスロット３５ａを備えており、メモリカードスロット３５ａには、撮影装置で撮影された撮影画像が記録されたメモリカード３６（例えば、第一の実施の形態における記録メディア２１）が装着可能となっている。
【００９３】
図９は、画像選択装置３の機能的構成を示すブロック図である。図８に示すように、画像選択装置３は、制御部３１、記憶部３２、表示部３３、操作部３４、メモリＩ／Ｆ３５、メモリカード３６、ＵＳＢ−Ｉ／Ｆ３７等により構成されており、各部はバス３８により接続されている。
【００９４】
制御部３１は、ＣＰＵ等により構成され、記憶部３２に予め記憶されている制御プログラムを読み出して、読み出したプログラムに従って画像選択装置３全体の制御を行う。また、制御部３１は、読み出したプログラムに従って、後述する画像選択処理を始めとする各種処理を実行する。
【００９５】
記憶部３２は、半導体等の不揮発性メモリで構成されている。記憶部３２は、画像選択装置３に対応する制御プログラム、処理プログラム等の各種プログラムや、各種プログラムで参照されるデータ等を予め記憶する。また、図２に示したと同様の笑顔評価基準テーブル及び端正評価基準テーブルを格納している。
【００９６】
表示部３３は、モニタ３３ａ、枚数表示部３３ｂにより構成されている。モニタ３３ａは、ＬＣＤ（Ｌｉｑｕｉｄ　Ｃｒｙｓｔａｌ　Ｄｉｓｐｌａｙ）やＥＬ（Ｅｌｅｃｔｒｏ　ｌｕｍｉｎｅｓｃｅｎｔ）ディスプレイにより構成され、制御部３１からの指示信号により、各種情報やメモリカード３６に記録されている画像データを画像として表示する。枚数表示部３３ｂは、ＬＣＤ（Ｌｉｑｕｉｄ　Ｃｒｙｓｔａｌ　Ｄｉｓｐｌａｙ）等により構成され、テンキー３４ｄにより入力された数値をプリント枚数として表示する。
【００９７】
操作部３４は、左矢印キー３４ａ、決定キー３４ｂ、右矢印キー３４ｃ、テンキー３４ｄ等により構成され、ユーザによる操作信号を制御部３１に出力する。
【００９８】
メモリＩ／Ｆ３５は、メモリカードスロット３５ａを備えて構成される、メモリカードスロット３５ａに装着されたメモリカード３６との電気的接続をはかるためのインターフェースである。
【００９９】
メモリカード３６は、メモリカードスロット３５ａに着脱可能であり、フラッシュメモリ（Ｆｌａｓｈ　Ｍｅｍｏｒｙ）等の不揮発性の半導体メモリで構成されており、外部の撮影装置で撮影された画像データを記録している。
【０１００】
ＵＳＢ−Ｉ／Ｆ３７は、ＵＳＢ等のデータ通信ケーブルと画像選択装置３を接続するためのインターフェースである。
【０１０１】
次に、動作について説明する。
図１０は、制御部３１により実行される画像選択処理を示すフローチャートである。以下、図１０を参照して画像選択処理について説明する。
【０１０２】
制御部３１は、メモリカード３６の装着を待機し（ステップＳ４１）、メモリカード３６の装着を検知すると（ステップＳ４１；ＹＥＳ）、メモリカード３６の最上位に格納されている画像ファイルが、動画ファイルまたは連写ファイルであるか否かを判断し（ステップＳ４２）、動画ファイルでも連写ファイルでもないと判断すると（ステップＳ４２；ＮＯ）、当該画像ファイルの画像データををモニタ３３ａに表示させる（ステップＳ４３）。そして、制御部３１は、テンキー３４ｄから入力信号が入力されると、入力された数値を枚数表示部３３ｂに表示させ（ステップＳ４４；ＹＥＳ）、決定キー３４ｂが押下されることにより印刷が指示されると（ステップＳ４５；ＹＥＳ）、入力された数値及び当該画像ファイルの画像データを、ＵＳＢ−Ｉ／Ｆ３７を介してプリンタ４へ出力する（ステップＳ４６）。次に矢印キーが押下されると（ステップＳ４７；ＹＥＳ）、制御部３１は、メモリカード３６に格納されている次の画像に対して、ステップＳ４２からの処理を行う。枚数指定が入力されない（ステップＳ４４；ＮＯ）、或いは印刷指示が入力されない場合は（ステップＳ４５；ＮＯ）、制御部３１は、ステップＳ４７へ移行し、矢印キーの操作の待機（ステップＳ４７）、枚数の入力の待機を行う（ステップＳ４４）。
【０１０３】
制御部３１は、ステップＳ４２において、メモリカード３６の最上位に格納されている画像ファイルが、動画ファイルまたは連写ファイルであると判断すると（ステップＳ４２；ＹＥＳ）、当該ファイルに評価値ファイルが格納されているか否かを判断する（ステップＳ４８）。評価値ファイルとは、本発明の第１の実施の形態において作成された評価値ファイル２１１と同様に、画像ファイルの各画像の各被撮影者に対する笑顔評価値及び端正評価値並びに各画像に対する総合評価値が格納されているものである。
【０１０４】
ステップＳ４８において、評価値ファイルが格納されていないと判断すると（ステップＳ４８；ＮＯ）、制御部３１は、“評価採点を行いますか”等をモニタ３３ａに表示させ、評価採点の指示が決定キー３４ｂにより入力されると（ステップＳ４９；ＹＥＳ）、当該画像ファイルに格納されている各画像に対して、評価処理を行う。評価の手順としては、図３のステップＳ７移行の処理と同様の処理により、当該画像の評価値ファイルの作成、記録を行う。評価処理後、制御部３１は、ステップＳ５１へ移行する。
【０１０５】
ステップＳ４８で評価値ファイルが格納されていると判断された（ステップＳ４８；ＹＥＳ）、あるいはステップＳ５０にて評価値ファイルが作成されると、制御部３１は、動画ファイル或いは連写ファイル（連写された画像がひとまとまりとなったファイル）内の画像ファイルのうち、評価値（優先評価値）の最も高い画像のデータを表示する（ステップＳ５１）。そして、制御部３１は、テンキー３４ｄから入力信号が入力されると、入力された数値を枚数表示部３３ｂに表示させ（ステップＳ５２；ＹＥＳ）、決定キー３４ｂが押下されることにより印刷が指示されると（ステップＳ５３；ＹＥＳ）、入力された数値及び当該画像のデータを、ＵＳＢ−Ｉ／Ｆ３７を介してプリンタ４へ出力する（ステップＳ５４）。次に矢印キーが押下されると（ステップＳ５５；ＹＥＳ）、制御部３１は、当該画像が、画像ファイル中の最後の画像であるか否を判断し、最後の画像であると判断すると（ステップＳ５６；ＹＥＳ）、ステップＳ４２に戻り、次の画像ファイルに対しての処理を実行する。一方、最後の画像ではないと判断すると（ステップＳ５６；ＮＯ）、制御部３１は、ステップＳ５１に戻り、次の画像を表示して、ステップＳ５１移行の処理を実行する。
【０１０６】
一方、ステップＳ４９において、評価採点の指示が入力されない場合は（ステップＳ４９；ＮＯ）、制御部３１は、モニタ３３ａに、メモリカード３６における画像の格納順に表示させ（ステップＳ５７）、テンキー３４ｄから入力信号が入力されると、入力された数値を枚数表示部３３ｂに表示させ（ステップＳ５８；ＹＥＳ）、決定キー３４ｂが押下されることにより印刷が指示されると（ステップＳ５９；ＹＥＳ）、入力された数値及び当該画像のデータを、ＵＳＢ−Ｉ／Ｆ３７を介してプリンタ４へ出力する（ステップＳ６０）。次に矢印キーが押下されると（ステップＳ６１；ＹＥＳ）、制御部３１は、当該画像が、画像ファイル中の最後の画像であるか否を判断し、最後の画像であると判断すると（ステップＳ６２；ＹＥＳ）、ステップＳ４２に戻り、次の画像ファイルに対しての処理を実行する。一方、最後の画像ではないと判断すると（ステップＳ６２；ＮＯ）、制御部３１は、ステップＳ５７に戻り、次の画像を表示して、ステップＳ５７移行の処理を実行する。
【０１０７】
以上説明した様に、画像選択装置３によれば、制御部３１は、メモリカード３６が装着されると、評価値ファイルが対応付けて格納されている画像ファイルについては、モニタ３３ａに評価値の高い順に画像を表示させ、枚数が指定されて印刷が指示されると、画像データと枚数をプリンタ４に転送する。評価値ファイルが対応付けられていない画像ファイルについては、操作部３４からの指示により、評価値ファイルの作成が指示されると、評価値ファイルを作成して、評価値の高い順に画像を表示させ、枚数が指定されて印刷が指示されると、画像データと枚数をプリンタ４に転送する。
【０１０８】
従って、各被撮影者（人物）の表情を場面に応じて評価して、評価の高い順に撮影画像を表示するので、ユーザは、被撮影者が良い表情の画像を選択するという時間のかかる煩雑な作業を容易に行うことができるようになり、撮影画像を手軽にプリントして楽しむことができるようになる。また、枚数を指定して直ちにプリンタ４にて印刷することが可能となるので、ユーザはすぐにプリントを楽しむことができ、写真屋は、すぐに代金を徴収することができる。
【０１０９】
なお、上記実施の形態における記述内容は、本発明に係る画像選択装置３の好適な一例であり、これに限定されるのもではない。
例えば、上記実施の形態においては、画像ファイルを格納順に表示することとしているが、表示する画像ファイル名を指定して、指定された画像ファイルに対して、画像選択処理のステップＳ４２〜６２を実行するようにしてもよい。これにより、所望の画像ファイルを容易に表示できるようになり、利便性が向上する。また、動画ファイルや連写ファイルに限らず、複数の静止画像ファイルを指定すると、複数の静止画像の評価値を決定し、評価値の高い順に並び替えて表示するようにしてもよい。
【０１１０】
また、上記実施の形態においては、枚数指定された画像について、印刷指示がされると枚数情報及び画像データを転送することとしているが、記録が指示された場合に、枚数情報を画像データのヘッダ領域に格納し、後でプリントするようにしてもよい。
【０１１１】
また、評価値ファイルの対応付けられている動画ファイルや連写ファイルが指定されると、指定されたファイルの画像データを優先評価値の順にプリンタ４に出力して、プリンタ４にて優先評価値の順位でプリントさせるようにしてもよい。
【０１１２】
また、画像の評価については、上記第１の実施の形態におけるデジタルカメラ１や、上記第２の実施の形態における画像処理装置３で行うことに限定されない。例えば、プリンタ等の印刷装置において、評価を行って、評価の最も高い画像を出力するようにしてもよい。また、インターネット上で、画像評価を行うサイトを実施して、撮影装置やパソコンからアップロードされた画像を評価して、評価順に画像番号を返信し、その画像番号に基づいてプリントする画像を選択させ、プリントを行ったり、ＣＤやＤＶＤ等に保存する画像を選択させ、保存状態のよいメディアに記録したりするサービスを行うようにしてもよい。また、評価値の高い顔画像を合成した画像を作成してダウンロードさせるサービスを行うようにしてもよい。これにより、撮影装置に評価機能がないユーザでも、手軽に最良のプリント画像を選択することができ、また、最良の表情を集めた合成画像も入手することができる。プリントの注文も、ラボ等にわざわざ出向くことなく手軽に行うことができる。
【０１１３】
その他、画像選択装置３の細部構成及び細部動作に関しても、本発明の趣旨を逸脱することのない範囲で適宜変更可能である。
【０１１４】
【発明の効果】
請求項１記載の発明によれば、撮影画像中の被撮影者の表情を評価して採点することができる。従って、被撮影者の表情の良し悪しを評価することができる。
【０１１５】
請求項２記載の発明によれば、撮影画像中の被撮影者の表情の笑顔の度合い、端正さの度合いのうち、少なくとも一つを評価して採点することができる。従って、被撮影者の表情が、撮影場面に応じた表情であるか否かを評価することができる。
【０１１６】
請求項３記載の発明によれば、１枚の撮影画像中に複数の被撮影者が写っている場合に、複数の被撮影者に対して採点された評価を平均して、その撮影画像における総合評価値を採点することができる。従って、撮影画像についての評価を行うことができる。
【０１１７】
請求項４記載の発明によれば、１枚の撮影画像中の被撮影者の総合評価値を採点する際に、特定の人物の評価に重み付けをして採点することができる。従って、重視したい人物に対する評価を考慮して撮影画像についての評価を行うことができる。
【０１１８】
請求項５記載の発明によれば、１枚の撮影画像内に複数の被撮影者が写っている場合に、採点された評価を各被撮影者別に表示手段に表示させることができる。従って、被撮影者毎の評価をユーザが知ることができる。
【０１１９】
請求項６記載の発明によれば、撮影画像の総合評価値を表示手段に表示させることができる。従って、撮影画像毎の総合評価値をユーザが知ることができる。
【０１２０】
請求項７〜１０に記載の発明によれば、撮影画像を解析して、撮影画像の場面がカジュアルな場面であるか又はフォーマルな場面であるかを判断することができる。
【０１２１】
請求項１１に記載の発明によれば、撮影画像の場面がカジュアルな場面であると判断された場合に、採点された笑顔の度合いに対する評価を、端正さの度合いに対する評価より優先させて撮影画像上に表示させることができる。従って、撮影画像の場面に応じた評価を見やすく表示することができる。
【０１２２】
請求項１２記載の発明によれば、撮影画像の場面がフォーマルな場面であると判断された場合に、採点された端正さの度合いに対する評価を、笑顔の度合いに対する評価より優先させて撮影画像上に表示させることができる。従って、撮影画像の場面に応じた評価を見やすく表示することができる。
【０１２３】
請求項１３記載の発明によれば、複数の撮影画像における被撮影者の表情を夫々評価し、複数の撮影画像に対して、評価の高い順に順位を設定し、その順位に基づいて複数の撮影画像を表示手段に表示することができる。従って、複数の撮影画像を、被写体の表情の良い順に表示することができるので、ユーザがプリントする撮影画像を選択することが容易になる。
【０１２４】
請求項１４記載の発明によれば、動画の中の各コマを静止画像として切り出した各静止画像に対して、評価の高い順に順位を設定して、その順位に基づいて複数の撮影画像を表示することができる。従って、動画の中の各コマ画像を、被撮影者の表情の良い順に表示することができるので、ユーザがプリントする撮影画像を選択することが容易になる。
【０１２５】
請求項１５記載の発明によれば、設定された撮影画像の順位を各撮影画像と対応付けて前記外部装置に出力することができる。従って、被写体の表情の良い順に外部の装置に出力して表示したり印刷したりすることができる。
【０１２６】
請求項１６記載の発明によれば、複数の撮影画像の夫々に複数の被撮影者が写っている場合に、複数の撮影画像内の各被撮影者の顔画像のうち、最も高く評価された各被撮影者の顔画像を抽出し、１枚の静止画像として合成することができる。従って、被撮影者全ての表情の良い撮影画像を取得することができる。
【０１２７】
請求項１７記載の発明によれば、複数の撮影画像内の各被撮影者の顔画像のうち、最も高く評価された各被撮影者の顔画像を抽出し、１枚の静止画像として合成された静止画像を最も高い順位に設定することができる。従って、プリントする画像を選択する際に、ユーザが、被撮影者全ての表情の良い撮影画像を簡単に選択することができるようになる。
【０１２８】
請求項１８記載の発明によれば、設定された順位で前記複数の静止画像から動画を作成することができる。従って、動画から静止画像を切り出して評価した場合でも、評価の高い順番で画像を入れ替えた動画を作成して記録することにより、元の動画からあまりファイルサイズを大きくすることなしに、発明を実施することができる。
【０１２９】
請求項１９記載の発明によれば、採点された評価を撮影画像と対応付けて記憶することができる。従って、撮影画像に対する評価が保存されるので、いつでも、複数の撮影画像を表情の良い順に並べて表示したり、外部装置に出力したりといったことが容易にできるようになる。
【図面の簡単な説明】
【図１】本発明に係るデジタルカメラ１の機能的構成を示すブロック図である。
【図２】図１の笑顔評価基準テーブル２６１及び端正評価基準テーブル２６２内部のデータ格納例を示す図である。
【図３】図１のＣＰＵ１１ａにより実行される撮影画像評価処理のフローチャートである。
【図４】図３のステップＳ１８において作成される評価値ファイル２１１のデータ格納例を示す図である。
【図５】図３のステップＳ１９において記録メディア２１に記憶される動画ファイルのデータ構造の一例を示す図である。
【図６】図３のステップＳ２０においてモニタ２３に表示される撮影画像表示画面２３１の一例を示す図である。
【図７】撮影時にモニタ２３に表示されるファインディング画面２３２、２３３の一例を示す図である。
【図８】本発明に係る第２の実施の形態の全体構成を概念的に示す図である。
【図９】図８の画像選択装置３の機能的構成を示すブロック図である。
【図１０】図９の制御部３１により実行される画像選択処理を示すフローチャートである。
【符号の説明】
１　　デジタルカメラ
２　　データ通信ケーブル
３　　画像選択装置
４　　プリンタ
１１　　制御部
１１ａ　　ＣＰＵ
１１ｂ　　ＲＯＭ
１１ｃ　　ＲＡＭ
１２　　光学系制御部
１３　　撮像光学系
１４　　撮像素子
１５　　画像信号生成回路
１６　　ＴＧ
１７　　ＣＣＤドライバ
１８　　画像信号処理部
１９　　ＡＥ・ＡＦ処理回路
２０　　内蔵メモリ
２１　　記録メディア
２２　　モニタ駆動回路
２３　　モニタ
２４　　閃光部
２５　　操作部
２６　　ＥＥＰＲＯＭ
２７　　電池
３１　　制御部
３２　　記憶部
３３　　表示部
３４　　操作部
３５　　メモリＩ／Ｆ
３６　　メモリカード
３７　　ＵＳＢ−Ｉ／Ｆ
【図１】
2004046591.tif 000003
【図２】
2004046591.tif 000004
【図３】
2004046591.tif 000005
【図４】
2004046591.tif 000006
【図５】
2004046591.tif 000007
【図６】
2004046591.tif 000008
【図７】
2004046591.tif 000009
【図８】
2004046591.tif 000010
【図９】
2004046591.tif 000011
【図１０】
2004046591.tif 000012